(57)【要約】【課題】温熱治療に適する温度を長時間維持でき、かつ関節部の動きに対してもズレることなく、適切な部位に発熱部を保持できる関節部に用いる温熱治療具を提供する。【解決手段】伸縮性の材料で作製された円筒状のホルダー１と該ホルダー１に保持される化学カイロ２からなり、該ホルダー１が化学カイロ２の出し入れまたは装着が可能な収納部３を有する関節部に装着する温熱治療具。【選択図】図１
2011212462.tif 000002
【特許請求の範囲】
【請求項１】
伸縮性の材料で作成された円筒状のホルダーと、前記ホルダーに保持される化学カイロとを備え、
前記ホルダーは、前記化学カイロが収納可能な収納部を有しており、
前記ホルダーの軸方向の両端部の間の表面に、前記収納部に通ずる少なくとも一つの開口部が形成されており、
前記開口部は、前記ホルダーにおいて、周方向に延び、当該周方向の全周のうちの一部に形成されているとともに、口の開いた状態で設けられている関節部に装着する温熱治療具。
【請求項２】
伸縮性の材料で作成された円筒状のホルダーと、前記ホルダーに保持される化学カイロとを備え、
前記ホルダーは、前記化学カイロが収納可能な収納部を有しており、
前記ホルダーの軸方向の両端部の間の表面に、前記収納部に通ずる少なくとも一つの開口部が形成されており、
前記収納部が脚の周囲または腕の周囲に位置するように膝や肘に装着され、
前記開口部は、前記ホルダーにおいて、周方向に延び、当該周方向の全周のうちの一部に形成されているとともに、口の開いた状態で設けられていることを特徴とする膝や肘に装着する温熱治療用具。
【請求項３】
伸縮性の材料で作成された円筒状のホルダーと、前記ホルダーに保持される化学カイロとを備え、
前記ホルダーは、前記化学カイロが収納可能な収納部を有しており、
前記ホルダーの軸方向の両端部の間の表面に、前記収納部に通ずる少なくとも一つの開口部が形成されており、
前記ホルダーが、手首領域と、手の平及び手の甲領域とからなり、前記手のひら及び手の甲領域に手の指を挿通する開口を有し、
前記開口部は、前記ホルダーにおいて、周方向に延び、当該周方向の全周のうちの一部に形成されているとともに、口の開いた状態で設けられていることを特徴とする手首に装着する温熱治療具。
【請求項４】
伸縮性の材料で作成された円筒状のホルダーと、前記ホルダーに保持される化学カイロとを備え、
前記ホルダーは、前記化学カイロが収納可能な収納部を有しており、
前記ホルダーの軸方向の両端部の間の表面に、前記収納部に通ずる少なくとも一つの開口部が形成されており、
前記ホルダーが、足首領域と、足の甲及び踵領域とからなり、
前記開口部は、前記ホルダーにおいて、周方向に延び、当該周方向の全周のうちの一部に形成されているとともに、口の開いた状態で設けられていることを特徴とする足首に装着する温熱治療具。
【請求項５】
前記ホルダーが軸方向の両端が閉じた袋状の多層構造を有しており、前記収納部が前記袋から構成されている請求項１から４のいずれかに記載の温熱治療具。
【請求項６】
前記ホルダーは、周方向の全周に亘って延びる帯状の締付け領域を少なくとも１つ備えている請求項１から５のいずれかに記載の温熱治療具。
【請求項７】
前記開口部は、複数の前記締付け領域によって軸方向に挟まれている請求項６に記載の温熱治療具。
【請求項８】
前記開口部は、前記締付け領域内に形成されている請求項６に記載の温熱治療具。
【発明の詳細な説明】
【技術分野】
【０００１】
本発明は、関節部の温熱治療に用いる化学カイロを利用する温熱治療具に関する。
【背景技術】
【０００２】
鉄などの金属の酸化熱を利用する化学カイロ、いわゆる使い捨てカイロは、簡便に暖房を得ることを主目的として開発されており、それらには手に持って使用するタイプ、服のポケットに入れるタイプ、服や皮膚に貼るタイプ、さらには靴底に敷くタイプ、足（靴下）裏に貼るタイプ、ベルトの形で巻き付けるタイプなど、適用部位によって様々なものが市販され、また提案されている。
【０００３】
このように従来の化学カイロは静置した状態での使用を前提にしており、したがって従来の形態は可動部（関節部）である膝や肘、または手首や足首の暖房には向いていない。特に可動範囲の大きい膝や肘には固定しにくい。
【０００４】
最近、化学カイロ自体を帯状にして巻き付けるタイプのものが提案されている（特許文献１）。しかし、このものは固定具そのものが暖房具であり、特定の患部以外を広範囲に覆ってしまうため熱くなりすぎてしまい、限定された季節と場所でしか使用できない。また、手首や足首、首などの回転運動に対してはある程度有効であるが、肘や膝などの大きな屈曲や伸縮運動に追従しきれず、ズレてしまう点で更なる改良が求められる。
【０００５】
また、上記のとおり従来の化学カイロは暖房を目的としていることから、低温火傷の防止を視野に入れながら比較的高い温度での長時間の発熱を目指してきた。
【０００６】
したがって、比較的低温での治療が主体となる温熱治療に従来の化学カイロを転用するときは、目的とする治療に必要な温度を超えて高くなることがあり、安易な転用による低温火傷の危険が懸念されている。これまでにも提案はあったが（特許文献２）、実用化するには更なる研究を要するものである。
【先行技術文献】
【特許文献】
【０００７】
【特許文献１】特開２００２−１４６６１２号公報
【特許文献２】実開平１−６２８２０号公報
【発明の概要】
【発明が解決しようとする課題】
【０００８】
本発明は、温熱治療に適する温度を長時間維持でき、かつ関節部の動きに対してもズレることなく、適切な部位に発熱部を保持できる関節用の温熱治療具を提供することを目的とする。
【課題を解決するための手段】
【０００９】
すなわち本発明は、伸縮性の材料で作成された円筒状のホルダーと、前記ホルダーに保持される化学カイロとを備え、前記ホルダーは、前記化学カイロが収納可能な収納部を有しており、前記ホルダーの軸方向の両端部の間の表面に、前記収納部に通ずる少なくとも一つの開口部が形成されており、前記開口部は、前記ホルダーにおいて、周方向に延び、当該周方向の全周のうちの一部に形成されているとともに、口の開いた状態で設けられている関節部に装着する温熱治療具に関する。
【００１０】
かかる本発明の関節部の温熱治療具には、可動範囲の広い膝や肘用の温熱治療具（第１の発明）と手首や足首用の温熱治療具（第２の発明）が含まれる。以下、これらについて、個別に説明する。
【００１１】
本第１の発明は、伸縮性の材料で作成された円筒状のホルダーと、前記ホルダーに保持される化学カイロとを備え、前記ホルダーは、前記化学カイロが収納可能な収納部を有しており、前記ホルダーの軸方向の両端部の間の表面に、前記収納部に通ずる少なくとも一つの開口部が形成されており、前記収納部が脚の周囲または腕の周囲に位置するように膝や肘に装着され、前記開口部は、前記ホルダーにおいて、周方向に延び、当該周方向の全周のうちの一部に形成されているとともに、口の開いた状態で設けられていることを特徴とする膝や肘に装着する温熱治療具に関する。
【００１２】
本第２の発明は、伸縮性の材料で作成された円筒状のホルダーと、前記ホルダーに保持される化学カイロとを備え、前記ホルダーは、前記化学カイロが収納可能な収納部を有しており、前記ホルダーの軸方向の両端部の間の表面に、前記収納部に通ずる少なくとも一つの開口部が形成されており、前記ホルダーが、手首領域と、手の平及び手の甲領域とからなり、前記手のひら及び手の甲領域に手の指を挿通する開口を有し、前記開口部は、前記ホルダーにおいて、周方向に延び、当該周方向の全周のうちの一部に形成されているとともに、口の開いた状態で設けられていることを特徴とする手首に装着する温熱治療具に関する。
【００１３】
また、第２の発明は、伸縮性の材料で作成された円筒状のホルダーと、前記ホルダーに保持される化学カイロとを備え、前記ホルダーは、前記化学カイロが収納可能な収納部を有しており、前記ホルダーの軸方向の両端部の間の表面に、前記収納部に通ずる少なくとも一つの開口部が形成されており、前記ホルダーが、足首領域と、足の甲及び踵領域とからなり、前記開口部は、前記ホルダーにおいて、周方向に延び、当該周方向の全周のうちの一部に形成されているとともに、口の開いた状態で設けられていることを特徴とする足首に装着する温熱治療具にも関する。
【００１４】
ホルダーは、１枚の伸縮性の繊維製品で作製してもよいが、多層構造の袋状とするときは、収納部を該袋に構成することができる。
【００１５】
ホルダーは、周方向の全周に亘って延びる帯状の締付け領域を少なくとも１つ備えていてもよい。
【００１６】
開口部は、複数の前記締付け領域によって軸方向に挟まれていてもよいし、前記締付け領域内に形成されていてもよい。
【発明の効果】
【００１７】
本発明の温熱治療具によれば、温熱治療に適する温度を長時間維持でき、かつ関節部の動きに対してもズレることなく、圧迫による鬱血を起こさず、膝や肘、手首や足首の適切な部位に発熱部を保持できる。
【図面の簡単な説明】
【００１８】
【図１】本発明の温熱治療具の肘用の好ましい実施形態の概略平面図である。
【図２】図１のＣ−Ｃ断面図である。
【図３】図１のＤ−Ｄ断面図である。
【図４】図１に示すホルダーの開口部の部分概略平面図である。
【図５】図１の温熱治療具を肘に装着したときの概略説明図である。
【図６】本発明に使用可能な化学カイロの一実施形態の概略断面図である。
【図７】実施例１で測定した皮膚温度の変化を示すグラフである。
【図８】本発明の温熱治療具の手首用の好ましい実施形態の概略斜視図である。
【図９】図８に示す手首用温熱治療具を手首に装着したときの概略説明図である。
【図１０】本発明の温熱治療具の手首用の別の実施形態の概略斜視図である。
【図１１】図９のＡ−Ａ線断面図である。
【図１２】本発明に使用可能な化学カイロの一実施形態の概略断面図である。
【図１３】本発明の温熱治療具の足首用の好ましい実施形態の概略平面図である。
【図１４】図１３に示す足首用温熱治療具を足首に装着したときの概略説明図である。
【図１５】実施例２および３で測定した皮膚温度の変化を示すグラフである。
【発明を実施するための形態】
【００１９】
本発明の第１の発明は、伸縮性の材料で作製された円筒状のホルダーと該ホルダーに保持される化学カイロからなり、該ホルダーが化学カイロの出し入れまたは装着が可能な収納部を有し、かつ該化学カイロ収納部が脚の周囲または腕の周囲に位置するように膝や肘に装着する温熱治療具に関する。
【００２０】
図１〜５に従って、本第１の発明の肘用の温熱治療具の好ましい実施形態を説明するが、本発明はこの実施形態に限定されず、種々の変更が可能である。もちろん、膝用の温熱治療具としても寸法などを変更することによって実施できる。
【００２１】
図１は、本発明の肘用の温熱治療具の概略側面図であり、図２は図１のＣ−Ｃ断面図、図３は図１のＤ−Ｄ断面図、図４は締め付け部と開口部付近の部分概略平面図、図５は図１の温熱治療具を肘に装着したときの概略説明図である。
【００２２】
温熱治療具は円筒状のホルダー１と化学カイロ２とからなり、ホルダー１には化学カイロ２の出し入れが可能な袋状の収納部３が設けられている。そして、本実施形態では、化学カイロ収納部３には、化学カイロ２の出し入れ用の開口部５が２箇所設けられており、収納部３に収納された化学カイロ２は、収納部３内で自由に位置決め可能になっている。
【００２３】
ホルダー１は伸縮性の材料で構成されており、肘関節の曲げ伸ばしに追随できるようにされている。さらに要すれば、ホルダー１の一部にホルダー１の固定を容易にするための締付け領域４を設けてもよい（図１参照）。
【００２４】
ホルダー１は、前述のように、余りきつく腕を締め付けると血流を止めて鬱血を生ずることがあるので、化学カイロ２を収納部３に収納した状態で膝または肘に装着されたときのホルダー１の皮膚への圧迫力を８０ｈＰａ以下に設定することが好ましい。鬱血が起こると、患部に熱が滞留し、低温火傷が生ずる恐れがあるため、圧迫力は、さらには４０ｈＰａ以下、特に３５ｈＰａ以下とすることが望ましい。また、下限は、ゆるくなると患部への追従性が失われて移動しやすくなり、治療部位に位置することが難しくなることから、１０ｈＰａ、さらには２０ｈＰａ、特に３０ｈＰａである。
【００２５】
この実施形態では、ホルダー１は１枚の伸縮性の繊維製品（織布、編布、不織布など）を折り畳んで２重にして開放部を閉じた形、すなわち多重構造の袋状としている。そして編成工程時に開口部５を開けている。開口部５は、この実施形態のように２箇所でもよいが、治療する範囲や位置に応じて１〜６箇所、好ましくは１〜３箇所配設する。開口部５の配置は特に限定されない。
【００２６】
開口部５は、図４に示すように、袋状のホルダー１の外側布６を一部開口状態にしたまま編成している。この場合、収納部３はホルダー１を構成している外側布６と内側布７の間の空間であり、この中に化学カイロ２が収納される。
【００２７】
図示していないが、袋状のホルダー１を適宜縫製して個別の収納部（ポケット）を設けてもよい。この場合、ポケットを関節の曲がる方向に配置すると、関節を曲げたときに圧迫感があるので、ポケットは関節の動きを妨げない腕（膝用の場合は脚）の側部に設けることが好ましい。しかし、治療部位によっては、加えて、腕の周囲を取り囲むように、および／または上下する方向で配置してもよい。
【００２８】
また図示していないが、収納部は、別途作製し、ホルダー１に縫い付けたり貼り付けたりしてもよい。貼り付ける場合は粘着剤を使用してもよいし、面ファスナーなどで着脱自在に位置が変えられるようにしてもよい。
【００２９】
また、開口部５に蓋や覆いを付けてもよいし、脱落を防止する観点から、ボタンやファスナー（線状または面ファスナー）を取り付けてもよい。
【００３０】
ホルダー１は伸縮性の材料で構成されるが、材料としては合成繊維単独、さらには植物繊維や動物繊維、鉱物繊維などの天然繊維を混合して、伸縮性、装着感、熱伝導性、加工性、耐磨耗性、耐薬品性などを考慮しながら適宜選定すればよい。好ましい繊維材料は、ポリアミド、ポリウレタン、ポリエステルなどが例示できる。また限定されないが、繊維の太さは３〜１００μｍ、好ましくは１０〜５０μｍでよい。繊維の機械的特性としては、引張強度で１０〜３００ｋｇ／ｍｍ２、好ましくは１０〜１００ｋｇ／ｍｍ２であり、伸びで１〜５０％、好ましくは５〜３０％である。
【００３１】
伸縮性は繊維の材質にも関係するが、布の作製方法によって制御できる。好ましくは編布であり、丸編、横編、平編、ゴム編、パール編、両面編など、特に丸編で編まれた布が縫製せずに予め円筒形に形成できるので好ましい。
【００３２】
この伸縮性の材料でホルダー１は作製されるが、作製方法は、前述のような１枚もの、袋状のもののほか、伸縮性、屈曲性を損なわない方法であればどのような方法で作製してもよい。
【００３３】
ホルダー１の寸法は、想定する被治療者の体格に応じて各種のサイズのものを適宜選べるようにすればよい。
【００３４】
つぎに本発明の他方の構成要素である化学カイロについて図６に従って説明する。
【００３５】
本発明に用いる化学カイロ２は、たとえば、図６に示すように、偏平状袋（以下、内袋と称す）１１内に空気の存在下で酸化発熱する発熱組成物１２が封入されており、前記偏平状袋１１が気密性袋（以下、外袋と称す）１３内に収納されている。
【００３６】
また、発熱組成物１２は、１０ｍｍ平方あたり０．１〜１ｇ坪量で内袋１１内に分散していることが、均一かつ穏やかな発熱を達成するうえで好ましい。
【００３７】
前記外袋１３は、ポリエチレン、ポリプロピレン、シリカ蒸着フィルムおよび塩化ビニリデンコートフィルムなどの無孔フィルムからなることが好ましい。なかでも、酸素や水蒸気の非透過性、および、水素の適切な透過性の点で、塩化ビニリデンコートフィルムが好ましい。無孔フィルムの厚さは、３０〜３００μｍが好ましい。
【００３８】
前記扁平状袋１１の内部に封入され、空気の存在下で酸化発熱する発熱組成物１２としては、従来の発熱組成物を使用すればよい。たとえば鉄粉などの金属粉、活性炭、水、保水剤（木粉、バーミキュライト、けい藻土、パーライト、シリカゲル、アルミナ、吸水性樹脂など）、食塩などからなるものを用いることができるが、これらに限定されるものではない。
【００３９】
内袋１１は、少なくともその一部が通気性面であり、通気小孔または微細孔群を有している。すなわち、その一方の面（図６において下側の面）が通気性面１４で、他方の面が非通気性面１５であってもよいし、また両面とも通気性面であってもよい。さらに、片面のうち、一部が通気性面で残りが非通気性面であってもよい。
【００４０】
非通気面を設ける場合、その非通気面を構成する樹脂としては、たとえば、ナイロン、ポリエチレン、ポリプロピレンなどの合成樹脂が好ましくあげられる。
【００４１】
通気性面は、織布、不織布、編布、上記非通気性材料に穿孔したフィルム、これらの組合せなど、従来より使用されている材料で形成される。
【００４２】
内袋１１の大きさは、本発明において、とくに限定されるものではなく、化学カイロ収納部（またはポケット）の形状、大きさなどに応じて適宜選定すればよい。また、形状としては、矩形に限らず、円形、楕円形、舌片形状、ハート型など、他の形状を採用することもできる。厚さは、装着感がよく、関節の動きの妨げになりにくいという点から、１〜１５ｍｍ、好ましくは２〜８ｍｍである。また、厚さに関しては、均一性をもたせたものの他に、内袋１１の厚さに凹凸をつけて圧迫感を変化させることも可能である。
【００４３】
内袋１１の通気性は、いわゆる低温火傷が発生し得る皮膚表面温度と時間を考慮して決定すればよい。たとえば、低温火傷を起こす可能性のある皮膚温度と時間としては、皮膚温度４２℃では６時間、４３℃では３時間、４４℃では１．５時間、４５℃では４５分間とされており、これらの閾値以上にならないように、発熱組成物の組成を考慮しながら制御すればよい。ただし、短時間の治療であれば、さらに高温（たとえば６０℃、さらには７０℃）に発熱させてもよい。
【００４４】
限定的ではないが、内袋１１全体の通気性としては、ＪＩＳ Ｋ７１２９に規定されるＡ法（感湿センサー法）により測定した水蒸気透過度の値で、１００〜２０００ｇ／ｍ２・２４ｈが好ましく、２００〜８００ｇ／ｍ２・２４ｈがより好ましい。水蒸気透過度が２０００ｇ／ｍ２・２４ｈより大きいと発熱組成物が過剰に発熱することがあり、１００ｇ／ｍ２・２４ｈよりも小さいと、発熱組成物が充分に発熱できないことがある。
【００４５】
化学カイロ２と収納部３、特に収納部３の内側（腕や膝側）布７や外側布６の構造によっても、発熱温度や持続時間を制御することができる。
【００４６】
たとえば、つぎのような組合せがあるが、これらのみに限定されるものではない。
（１）内側布が通気性の構造で、化学カイロが両面通気性である場合
この場合、比較的高温の発熱温度が得られるが、低温火傷などに注意を要する。
（２）内側布が通気性の構造で、化学カイロが片面のみ通気性である場合
この場合、化学カイロの通気面が体と反対側（外側）にくるように化学カイロを収納部３に入れると、空気の取入れが容易になり、発熱温度が比較的高くなる（約３８〜約４２℃）。逆に、化学カイロの通気面が体側（内側）にくるように化学カイロを収納部３に入れると、空気の取入れが制限され、発熱温度が比較的低くなる（約３６〜約４０℃）。
【００４７】
すなわち、化学カイロ２の入れる向きによって、温熱治療に必要な温度に合わせることができる。
（３）内側布が非通気性または難通気性の構造で、化学カイロが両面通気性である場合
この場合、比較的高温の発熱温度が得られ、低温火傷などへの対応は、内側布の熱伝導性を選択設定することにより、制御できる。
（４）内側布が非通気性または難通気性の構造で、化学カイロが片面のみ通気性である場合
この場合、内側布の熱伝導性を考慮しながら、上記（２）のように化学カイロ２の入れる向きによって、温熱治療に必要な温度に調整することができる。
（５）内側布および外側布共に非通気性とし、収納部に化学カイロの出し入れ用の手段を設ける場合
この場合、収納部の機能で温熱治療に必要な温度調整が可能になる。
【００４８】
内側布を非通気性または難通気性の構造にするには、たとえば収納部の体側に非通気性のフィルムを貼り付けたりすればよい。
【００４９】
また、化学カイロの収納部を上記のような袋状（またはポケット）ではなく、化学カイロを係止（装着）するだけの形態にもすることができる。この場合、化学カイロはホルダーの外表面または内表面に装着されることになる。化学カイロを装着する手段としては、粘着剤による貼り付け、面ファスナーによる固定、ボタンによる固定などがあげられる。
【００５０】
化学カイロをホルダーに貼り付けるタイプとするときは、内袋１１の一方の面（たとえば図６において面１４）に通常の粘着性物質からなる粘着剤層を形成し、この粘着剤層上に剥離紙や剥離フィルムを設けてもよい。
【００５１】
粘着剤層は、内袋１１の片面全体に設けるようにしてもよいし、縞模様、格子模様、水玉模様などの適宜の模様を形成するように部分的に設けるようにしてもよい。また、非通気性面に設けてもよいし、通気性面に設けてもよい。
【００５２】
以上に肘に用いるタイプの温熱治療具を説明したが、膝に用いる場合も、膝に合わせて大きさを調整すればよい。
【００５３】
つぎに本第２の発明について具体的に説明する。
【００５４】
本第２の発明うちの手首用の温熱治療具は、伸縮性の材料で作製された円筒状のホルダーと該ホルダーに保持される化学カイロからなり、該ホルダーが、手首領域と手の平および手の甲領域からなり、手首領域に化学カイロの出し入れまたは装着が可能な収納部を有し、手の平および手の甲領域に手の指を挿通する開口を有することを特徴とする。
【００５５】
図８〜１１に従って、本発明の手首用の温熱治療具の好ましい実施形態を説明するが、本発明はこの実施形態に限定されず、種々の変更が可能である。もちろん、足首用の温熱治療具としても、後述するような変更を加えることによって実施できる。
【００５６】
図８は、本発明の手首用の温熱治療具の概略斜視図であり、図９は図８の温熱治療具を手首に装着したときの概略説明図であり、図１０は別の実施形態の概略斜視図であり、図１１は図９のＡ−Ａ線断面図である。
【００５７】
温熱治療具は円筒状のホルダー１０１と化学カイロ１０２とからなり、ホルダー１０１は、手首領域１０３と手の平および手の甲領域（以下、「手の甲領域」という）１０４とからなる。
【００５８】
ホルダー１０１の手首領域１０３には化学カイロ１０２の出し入れが可能な袋状の収納部１０５が設けられている。そして、本実施形態では、化学カイロ収納部１０５には、化学カイロ１０２の出し入れ用の開口部１０６が１箇所設けられており、収納部１０５に収納された化学カイロ１０２は、収納部１０５内で自由に位置決め可能になっている。
【００５９】
ホルダー１０１の手の甲領域１０４には、手の指を挿通する挿通口１０７、１０８を有している。挿通口１０７は左手の手首を温熱治療する場合に左手の親指を挿入する開口であり（図９参照）、挿通口１０８は右手に適用する場合、右手の親指を挿入する開口である。なお、挿通する指は特に限定されず、したがって挿通口１０７、１０８の位置、数も限定されない。
【００６０】
ホルダー１０１は伸縮性の材料で構成されており、手首関節の曲げ伸ばしに追随できるようにされている。本第２の発明では、ホルダー１０１の手首領域にホルダー１０１の固定を容易にするための締付け領域１０９を設けている（図８参照）。化学カイロ１０２の収納部１０５は締め付け領域１０９に形成することが望ましい。ただし、図１０に示すように、締め付け領域をリング状の領域１０９ａとし、１本〜数本、たとえば１〜３本設けて、実際に締め付けに使う領域を狭くしてもよい。
【００６１】
ホルダー１０１は、前述のように、余りきつく手首を締め付けると血流を止めて鬱血を生ずることがあるので、化学カイロ１０２を収納部１０５に収納した状態で手首または足首に装着されたときのホルダー１０１の皮膚への圧迫力を８０ｈＰａ以下に設定することが好ましい。鬱血が起こると、患部に熱が滞留し、低温火傷が生ずる恐れがあるため、圧迫力は、さらには４０ｈＰａ以下、特に３５ｈＰａ以下とすることが望ましい。また、下限は、ゆるくなると患部への追従性が失われて移動しやすくなり、治療部位に位置することが難しくなることから、１０ｈＰａ、さらには２０ｈＰａ、特に３０ｈＰａである。
【００６２】
この実施形態では、ホルダー１０１は１枚の伸縮性の繊維製品（織布、編布、不織布など）を折り畳んで２重にして開放部を閉じた形、すなわち多重構造の袋状としている。そして、編成工程時に開口部１０６を設けている。開口部１０６は、この実施形態のように１箇所でもよいが、治療する範囲や位置に応じて１〜６箇所、好ましくは１〜３箇所配設する。開口部１０６の配置は特に限定されない。
【００６３】
開口部１０６は、図１１に示すように、袋状のホルダー１０１の外側布１１０ａを一部開口状態にしたまま編成している。この場合、収納部１０５はホルダー１０１を構成している外側布１１０ａと内側布１１０ｂの間の空間であり、この中に化学カイロ１０２が収納される。
【００６４】
図示していないが、袋状のホルダー１０１を適宜縫製して個別の収納部（ポケット）を設けてもよい。この場合、ポケットを関節の曲がる方向に配置すると、関節を曲げたときに圧迫感があるので、ポケットは関節の動きを妨げない上面側（手の甲側）（足首用の場合は足の甲側）が好ましい。しかし、治療部位によっては、加えて、手首の周囲を取り囲むように、および／または上下する方向で配置してもよい。
【００６５】
図示されていないが、収納部は、別途作製し、ホルダー１０１に縫い付けたり貼り付けたりしてもよい。貼り付ける場合は粘着剤を使用してもよいし、面ファスナーなどで着脱自在に位置が変えられるようにしてもよい。
【００６６】
また、開口部１０６に蓋や覆いを付けてもよいし、脱落を防止する観点から、ボタンやファスナー（線状または面ファスナー）を取り付けてもよい。
【００６７】
ホルダー１０１は伸縮性の材料で構成されるが、材料としては合成繊維単独、さらには植物繊維や動物繊維、鉱物繊維などの天然繊維を混合して、伸縮性、装着感、熱伝導性、加工性、耐磨耗性、耐薬品性などを考慮しながら適宜選定すればよい。好ましい繊維材料は、ポリアミド、ポリウレタン、ポリエステルなどが例示できる。また限定されないが、繊維の太さは３〜１００μｍ、好ましくは１０〜５０μｍでよい。繊維の機械的特性としては、引張強度で１０〜３００ｋｇ／ｍｍ２、好ましくは１０〜１００ｋｇ／ｍｍ２であり、伸びで１〜５０％、好ましくは５〜３０％である。
【００６８】
伸縮性は繊維の材質にも関係するが、布の作製方法によって制御できる。好ましくは編布であり、丸編、横編、平編、ゴム編、パール編、両面編など、特に丸編で編まれた布が縫製せずに予め円筒形に形成できるので好ましい。
【００６９】
この伸縮性の材料でホルダー１０１は作製されるが、作製方法は、前述のような１枚もの、袋状のもののほか、伸縮性、屈曲性を損なわない方法であればどのような方法で作製してもよい。
【００７０】
ホルダー１０１の寸法は、想定する被治療者の体格に応じて各種のサイズのものを適宜選べるようにすればよい。
【００７１】
つぎに本発明の他方の構成要素である化学カイロについて図１２に従って説明する。
【００７２】
本発明に用いる化学カイロ１０２は、たとえば、図１２に示すように、偏平状袋（以下、内袋と称す）１１１内に空気の存在下で酸化発熱する発熱組成物１１２が封入されており、前記偏平状袋１１１が気密性袋（以下、外袋と称す）１１３内に収納されている。
【００７３】
また、発熱組成物１１２は、１０ｍｍ平方あたり０．１〜１ｇ坪量で内袋１１内に分散していることが、均一かつ穏やかな発熱を達成するうえで好ましい。
【００７４】
前記外袋１１３は、ポリエチレン、ポリプロピレン、シリカ蒸着フィルムおよび塩化ビニリデンコートフィルムなどの無孔フィルムからなることが好ましい。なかでも、酸素や水蒸気の非透過性、および、水素の適切な透過性の点で、塩化ビニリデンコートフィルムが好ましい。無孔フィルムの厚さは、３０〜３００μｍが好ましい。
【００７５】
前記扁平状袋１１１の内部に封入され、空気の存在下で酸化発熱する発熱組成物１１２としては、従来の発熱組成物を使用すればよい。たとえば鉄粉などの金属粉、活性炭、水、保水剤（木粉、バーミキュライト、けい藻土、パーライト、シリカゲル、アルミナ、吸水性樹脂など）、食塩などからなるものを用いることができるが、これらに限定されるものではない。
【００７６】
内袋１１１は、少なくともその一部が通気性面であり、通気小孔または微細孔群を有している。すなわち、その一方の面１１４が通気性面で、他方の面１１５が非通気性面であってもよいし、また両面とも通気性面であってもよい。さらに、片面のうち、一部が通気性面で残りが非通気性面であってもよい。
【００７７】
非通気面を設ける場合、その非通気面を構成する樹脂としては、たとえば、ナイロン、ポリエチレン、ポリプロピレンなどの合成樹脂が好ましくあげられる。
【００７８】
通気性面は、織布、不織布、編布、上記非通気性材料に穿孔したフィルム、これらの組合せなど、従来より使用されている材料で形成される。
【００７９】
内袋１１１の大きさは、本発明において、とくに限定されるものではなく、化学カイロ収納部（またはポケット）の形状、大きさなどに応じて適宜選定すればよい。また、形状としては、矩形に限らず、円形、楕円形、舌片形状、ハート型など、他の形状を採用することもできる。厚さは、装着感がよく、関節の動きの妨げになりにくいという点から、１〜１５ｍｍ、好ましくは２〜８ｍｍである。また、厚さに関しては、均一性をもたせたものの他に、内袋１１１の厚さに凹凸をつけて圧迫感を変化させることも可能である。
【００８０】
内袋１１１の通気性は、いわゆる低温火傷が発生し得る皮膚表面温度と時間を考慮して決定すればよい。たとえば、低温火傷を起こす可能性のある皮膚温度と時間としては、皮膚温度４２℃では６時間、４３℃では３時間、４４℃では１．５時間、４５℃では４５分間とされており、これらの閾値以上にならないように、発熱組成物の組成を考慮しながら制御すればよい。ただし、短時間の治療であれば、さらに高温（たとえば６０℃、さらには７０℃）に発熱させてもよい。
【００８１】
限定的ではないが、内袋１１１全体の通気性としては、ＪＩＳ Ｋ７１２９に規定されるＡ法（感湿センサー法）により測定した水蒸気透過度の値で、１００〜２０００ｇ／ｍ２・２４ｈが好ましく、２００〜８００ｇ／ｍ２・２４ｈがより好ましい。水蒸気透過度が２０００ｇ／ｍ２・２４ｈより大きいと発熱組成物が過剰に発熱することがあり、１００ｇ／ｍ２・２４ｈよりも小さいと、発熱組成物が充分に発熱できないことがある。
【００８２】
化学カイロ１０２と収納部１０５、特に収納部１０５の内側布１１０ｂや外側布１１０ａの構造によっても、発熱温度や持続時間を制御することができる。
【００８３】
たとえば、つぎのような組合せがあるが、これらのみに限定されるものではない。
（１）内側布が通気性の構造で、化学カイロが両面通気性である場合
この場合、比較的高温の発熱温度が得られるが、低温火傷などに注意を要する。
（２）内側布が通気性の構造で、化学カイロが片面のみ通気性である場合
この場合、化学カイロの通気面が体と反対側（外側）にくるように化学カイロを収納部５に入れると、空気の取入れが容易になり、発熱温度が比較的高くなる（約３８〜約４２℃）。逆に、化学カイロの通気面が体側（内側）にくるように化学カイロを収納部５に入れると、空気の取入れが制限され、発熱温度が比較的低くなる（約３６〜約４０℃）。
【００８４】
すなわち、化学カイロ１０２の入れる向きによって、温熱治療に必要な温度に合わせることができる。
（３）内側布が非通気性または難通気性の構造で、化学カイロが両面通気性である場合
この場合、比較的高温の発熱温度が得られ、低温火傷などへの対応は、内側布の熱伝導性を選択設定することにより、制御できる。
（４）内側布が非通気性または難通気性の構造で、化学カイロが片面のみ通気性である場合
この場合、内側布の熱伝導性を考慮しながら、上記（２）のように化学カイロ１０２の入れる向きによって、温熱治療に必要な温度に調整することができる。
（５）内側布および外側布共に非通気性とし、収納部に化学カイロの出し入れ用の手段を設ける場合
この場合、収納部の機能で温熱治療に必要な温度調整が可能になる。
【００８５】
内側層を非通気性または難通気性の構造にするには、たとえば収納部の体側に非通気性のフィルムを貼り付けたりすればよい。
【００８６】
また、化学カイロの収納部を上記のような袋状（またはポケット）ではなく、化学カイロを係止（装着）するだけの形態にもすることができる。この場合、化学カイロはホルダーの外表面または内表面に装着されることになる。化学カイロを装着する手段としては、粘着剤による貼り付け、面ファスナーによる固定、ボタンによる固定などがあげられる。
【００８７】
化学カイロをホルダーに貼り付けるタイプとするときは、内袋１１１の一方の面（たとえば図１２において面１１５）に通常の粘着性物質からなる粘着剤層を形成し、この粘着剤層上に剥離紙や剥離フィルムを設けてもよい。
【００８８】
粘着剤層は、内袋１１１の片面全体に設けるようにしてもよいし、縞模様、格子模様、水玉模様などの適宜の模様を形成するように部分的に設けるようにしてもよい。また、非通気性面に設けてもよいし、通気性面に設けてもよい。
【００８９】
以上に手首に用いるタイプの温熱治療具を説明したが、足首に用いる場合も、足首に合わせて形状、大きさを調整すればよい。
【００９０】
また、第２の発明のうちの足首用の温熱治療具は、伸縮性の材料で作製された円筒状のホルダーと該ホルダーに保持される化学カイロからなり、該ホルダーが、足首領域と足の甲および踵領域からなり、足首領域に化学カイロの出し入れまたは装着が可能な収納部を有することを特徴とする。
【００９１】
図１３〜１４に従って、本発明の足首用の温熱治療具の好ましい実施形態を説明するが、本発明はこの実施形態に限定されず、種々の変更が可能である。
【００９２】
図１３は、本発明の足首用の温熱治療具の概略平面図であり、図１４は図１３の温熱治療具を足首に装着したときの概略説明図である。
【００９３】
足首用の温熱治療具は円筒状のホルダー１２１と化学カイロ１２２とからなり、ホルダー１２１は、足首領域１２３と足の甲および踵領域１２４とからなる。
【００９４】
ホルダー１２１の足首領域１２３には化学カイロ１２２の出し入れが可能な袋状の収納部１２５が設けられている。収納部１２５にはカイロの出し入れ用の開口部１２６が設けられている。そして、図１３には、開口部１２６が足首の側面に１箇所示されているが、反対側にさらに１箇所設けてもよいし、治療を要する箇所によっては１〜６個を適宜設けてもよい。１２７は締め付け部である。
【００９５】
足首用のホルダー１２１には部分的な切れ込み１２８が入れられており、この部分を踵に配置することで、安定した装着が可能になる（図１４参照）。
【００９６】
切れ込み１２８に代えて、靴下用の丸編み機などを用いて踵の突出に対応するようにしてもよい。
【００９７】
ホルダー１２１の材質や作製方法、化学カイロ１２２については手首用の温熱治療具で説明した事項がこの足首用温熱治療具にも適用できる。
【実施例】
【００９８】
つぎに本発明の温熱治療具を実施例をあげて説明するが、本発明はこれらの実施例に限定されるものではない。
【００９９】
実施例１
ポリアミド繊維を丸編した厚さ０．５ｍｍのスパンデックス布を用いて図１に示す、開口部が２箇所設けられた袋状の化学カイロ収納部をもつ膝用のホルダー（周径１８０ｍｍ、長さ１５０ｍｍ）を作製した。
【０１００】
このホルダーを成人男子の膝にサポーターと同様にして装着した。その際、ホルダーの内側布越しに化学カイロが当たる皮膚上に熱電対を貼り付け、皮膚表面温度の変化が記録できるようにセットした。
【０１０１】
化学カイロとして、縦９５ｍｍ、横７０ｍｍ、厚さ３ｍｍで片面が非通気性の内袋を有する化学カイロを２個用いた。この内袋を外袋から取り出し、数回空気中で振った後、一方のポケットに非通気性面を下向き（通気性面が上向き）に入れ、他方のポケットに非通気性面を上向き（通気性面が下向き）に入れ、皮膚温度の経時変化（８時間）を調べた。結果を図７に示す。図７中、実線は通気性面を下向きにセットした場合、破線は通気性面を上向きにセットした場合である。
【０１０２】
図７に示すように、非通気性面を上向きにするか下向きにするかによって、皮膚の温度を調節できる。
【０１０３】
なお、被験者は８時間装着したままで日常生活を行ったが、本発明の温熱治療具が大きくズレることはなく、化学カイロが脱落することもなかった。また、膝の曲げ伸ばしに違和感はなく、鬱血などの障害も生じていなかった。
【０１０４】
実施例２
ポリアミド繊維を丸編した厚さ０．５ｍｍのスパンデックス布を用いて図８に示す開口部が１箇所設けられた袋状の化学カイロ収納部をもつ手首用のホルダー（関節部の周径１４０ｍｍ、長さ１３０ｍｍ）を作製した。
【０１０５】
このホルダーを成人男子の手首にサポーターと同様にして装着した。その際、内側布越に化学カイロが当たる皮膚上に熱電対を貼り付け、皮膚表面温度の変化が記録できるようにセットした。
【０１０６】
化学カイロとして、縦９５ｍｍ、横７０ｍｍ、厚さ３ｍｍで片面が非通気性の内袋を有する化学カイロを用いた。この内袋を外袋から取り出し、開口部から収納部に非通気性面を下向き（通気性面が上向き）に入れ、皮膚温度の経時変化（８時間）を調べた。結果を図１５に示す。
【０１０７】
実施例３
実施例２において、化学カイロを収納部に非通気性面を上向き（通気性面が下向き）に入れたほかは同様にして皮膚温度の経時変化（８時間）を調べた。結果を図１５に示す。
【０１０８】
図１５に示すように、非通気性面を上向きにするか下向きにするかによって、皮膚の温度を調節できる。
【０１０９】
なお、被験者は８時間装着したままで日常生活を行ったが、本発明の温熱治療具が大きくズレることはなく、化学カイロが脱落することもなかった。また、手首の回転や曲げに違和感はなく、鬱血などの障害も生じていなかった。
【符号の説明】
【０１１０】
１、１０１、１２１ ホルダー
２、１０２、１２２ 化学カイロ
３、１０５、１２５ 化学カイロ収納部
４、１０９、１０９ａ、１２７ 締付け領域
５、１０６、１２６ 開口部
６、１１０ａ 外側布
７、１１０ｂ 内側布
１１、１１１ 内袋
１２、１１２ 発熱組成物
１３、１１３ 外袋
１４ 通気性面
１５ 非通気性面
１０３ 手首領域
１０４ 手の甲領域
１０７、１０８ 挿通口
１２３ 足首領域
１２４ 足の甲領域
１２８ 切り込み
【図１】
2011212462.tif 000003
【図２】
2011212462.tif 000004
【図３】
2011212462.tif 000005
【図４】
2011212462.tif 000006
【図５】
2011212462.tif 000007
【図６】
2011212462.tif 000008
【図７】
2011212462.tif 000009
【図８】
2011212462.tif 000010
【図９】
2011212462.tif 000011
【図１０】
2011212462.tif 000012
【図１１】
2011212462.tif 000013
【図１２】
2011212462.tif 000014
【図１３】
2011212462.tif 000015
【図１４】
2011212462.tif 000016
【図１５】
2011212462.tif 000017